(57)【特許請求の範囲】
【請求項１】
コンデンサを支持するフレームを備え、該フレームが冷凍車の荷物室の前方の外周壁に取り付けられた輸送用冷凍装置において、
前記フレームは、前方の上下に二本の横フレーム材が設けられ、少なくとも一方の横フレーム材の両端は、前記荷物室に向かって下降または上昇する支持フレーム材によって支持され、
前記一方の横フレーム材と前記支持フレーム材とは、一体となって連続する形状の全体がコ字状に折曲された傾斜フレーム材を構成し、
さらに、略水平の姿勢にて前記横フレームを前記荷物室に対して固定する固定部材が設けられていることを特徴とする輸送用冷凍装置。
【請求項２】
請求項１に記載の輸送用冷凍装置において、
上方の前記横フレーム材の両端が、前記荷物室に向かって下降する支持フレーム材によって支持され、
前記上方の横フレーム材と前記支持フレーム材とは、一体となって連続する形状の全体がコ字状に折曲された傾斜フレーム材を構成し、該傾斜フレーム材は、板材の幅方向両端が一方向に立ち上がった断面視コ字状形状であって、さらに前記幅方向両端が外側を向くように全体がコ字状に折曲され、
さらに、前記フレームの前方にコンデンサが設けられていることを特徴とする輸送用冷凍装置。
【発明の詳細な説明】
【０００１】
【発明の属する技術分野】
本発明は、陸上輸送用の冷凍車両に搭載される輸送用冷凍装置に関する。
【０００２】
【従来の技術】
図６は冷凍車の荷物室１前部の縦断面図である。荷物室１の前上部には、輸送用冷凍装置２が設けられている。矩形状の荷物室１から外側に突出する形で断熱壁３が設けられ、この断熱壁３の中には、エバポレータ４と、送風用のファン５が設けられている。一方、断熱壁３の外には、コンデンサ６と、送風用のファン７が設けられている。これらエバポレータ４やコンデンサ６などは、荷物室１に固定されたフレーム１０によって支持されている。
【０００３】
図７は、フレーム１０の斜視図である。フレーム１０は、上下に設けられた水平フレーム材１１，１２と、これら水平フレーム材１１，１２を荷物室に取り付けるバン取り付け部材１３と、水平フレーム材１１，１２間に垂直に渡されたコンデンサ取り付け部材１４と、水平フレーム材１１，１２間および水平フレーム材１１，１２とバン取り付け部材１３との間に渡されたエバポレータ吊り部材１５とを備えている。
【０００４】
【発明が解決しようとする課題】
このように構成された従来の輸送用冷凍装置では、エバポレータ吊り部材１５およびコンデンサ取り付け部材１４に対してエバポレータ４とコンデンサ６を取り付ける。他のファン５，７、断熱材等３もフレーム１０に支持される。
しかしながら、上記従来の輸送用冷凍装置では、エバポレータ４やコンデンサ６の荷重が全てフレーム１０に作用している。フレーム１０は水平フレーム材１１，１２の一端側がすべて垂直高さ同じ位置にて荷物室１に固定されている片持ち支持構造となっている。
このため、荷重を支持するためにはフレーム１０の剛性を上げる必要があり、重量が増してしまうという問題があった。
【０００５】
本発明は上記事情に鑑みて成されたものであり、軽量でも十分な荷重支持を実現するフレームを備えた輸送用冷凍装置を提供することを目的とする。
【０００６】
【課題を解決するための手段】
請求項１に記載の発明は、コンデンサを支持するフレームを備え、該フレームが冷凍車の荷物室の前方の外周壁に取り付けられた輸送用冷凍装置において、前記フレームは、前方の上下に二本の横フレーム材が設けられ、少なくとも一方の横フレーム材の両端は、前記荷物室に向かって下降または上昇する支持フレーム材によって支持され、前記一方の横フレーム材と前記支持フレーム材とは、一体となって連続する形状の全体がコ字状に折曲された傾斜フレーム材を構成し、さらに、略水平の姿勢にて前記横フレームを前記荷物室に対して固定する固定部材が設けられていることを特徴とする。
【０００７】
この発明においては、コンデンサを支持するフレームの上下二本の横フレーム材の少なくとも一方が、荷物室に向かう斜めの支持フレーム材と一体となって連続する形状の全体がコ字状に折曲された傾斜フレーム材により構成され、横フレーム材が傾斜フレーム材を構成する両側部の斜めの支持フレーム材と、横フレーム材を荷物室に固定する略水平姿勢の固定部材との両方で支持されているため、従来とほぼ同じ部品構成のまま横フレーム材を傾斜フレーム材とするだけで高い強度を得ることができ、剛性を上げずともより重い重量を支持することができる。
【０００８】
請求項２に記載の発明は、請求項１に記載の輸送用冷凍装置において、上方の前記横フレーム材の両端が、前記荷物室に向かって下降する支持フレーム材によって支持され、前記上方の横フレーム材と前記支持フレーム材とは、一体となって連続する形状の全体がコ字状に折曲された傾斜フレーム材を構成し、該傾斜フレーム材は、板材の幅方向両端が一方向に立ち上がった断面視コ字状形状であって、さらに前記幅方向両端が外側を向くように全体がコ字状に折曲され、さらに、前記フレームの前方にコンデンサが設けられていることを特徴とする。
【０００９】
この発明においては、横フレーム材および支持フレーム材が断面視コ字状であるから、軽量かつ高い剛性を得ることができる。また、前方からコンデンサを通った風が、コンデンサの背後で、かつ、フレームの前方で上方に抜ける際に、横フレーム材近傍を通る。このとき、横フレーム材は傾斜フレーム材とされ、傾斜フレーム材が傾斜状態であることにより、その幅方向端部が外側でかつ斜め上方を向いているため、該コ字状の横フレーム材が風路抵抗となり難い。
【００１０】
【発明の実施の形態】
次に、本発明の実施形態について、図面を参照して説明する。
図１に示したものは、本実施形態に係るフレーム２０である。
このフレーム２０においては、下部に設けられた水平フレーム材１２と、傾斜させて設けられた傾斜フレーム材２１と、これら水平フレーム材１２および傾斜フレーム材２０を荷物室に取り付けるバン取り付け部材１３と、水平フレーム材１２と傾斜フレーム材２１との間に垂直に渡されたコンデンサ取り付け部材１４と、傾斜フレーム材２１とバン取り付け部材１３との間に渡されたエバポレータ吊り部材１５とを備えている。
【００１１】
傾斜フレーム材２１は、前部の横フレーム材２１ａと、横フレーム材２１ａの両側部を支持する二つの支持フレーム材２１ｂとにより構成されている。
傾斜フレーム材２１は、図２に示すように板材の幅方向両端２１ａが一方向に立ち上がった断面視コ字状形状であって、さらに前記幅方向両端が外側を向くように全体がコ字状に折曲されている。これにより、横フレーム材２１ａの両端に支持フレーム材２１ｂが連続する形状となっている。なお、水平フレーム材１２も同様に板材の幅方向両端が一方向に立ち上がった断面視コ字状形状であって、さらに前記幅方向両端が外側を向くように全体がコ字状に折曲されている。
横フレーム材２１ａは水平フレーム材１２と略平行であり、両側部においては基端側の高さが低くなるように傾斜した支持フレーム材２１ｂによってバン取り付け部材１３に取り付けられている。このため、断面がコ字状の横フレーム材２１ａは、図３に示すように幅方向両端が外側であって斜め上方を向いている。
バン取り付け部材１３は、水平フレーム材１２や傾斜フレーム材２１を荷物室１に取り付けるための部材である。
コンデンサ取り付け部材１４は、フレーム２０の前部幅方向に数カ所、縦方向の姿勢にて両端がそれぞれ水平フレーム材１２と傾斜フレーム材２１とに取り付けられている。エバポレータ吊り部材１５は、一部のエバポレータ吊り部材１５ａがコンデンサ取り付け部材１４と同様に縦方向の姿勢で両端がそれぞれ水平フレーム材１２と傾斜フレーム材２１とに取り付けられ、また、残りのエバポレータ吊り部材（固定部材）１５ｂがフレームの上部において傾斜フレーム材２１の横フレーム材２１ａとバン取り付け部材１３とに略水平の姿勢で取り付けられている。
【００１２】
このように構成されていることにより、フレーム２０がトラス構造となっている。すなわち、横フレーム材２１ａは、エバポレータ吊り下げ部材１５と傾斜フレーム材２１の支持フレーム材２１ｂにより支持されているから高い強度を得ることができ、さらに水平フレーム材１２に対してもコンデンサ取り付け部材１４とエバポレータ吊り下げ部材１５により固定されていることで、さらに高い強度を得ることができる。
したがって、材料の剛性を上げることなく、従来とほぼ同じ部品構成で、より重い重量を支持することができる。したがって低重量とすることができ、コストも抑えることができる。
【００１３】
なお、傾斜フレーム材２１の断面形状はいかなるものであってもよい（例えばパイプ形状など）。しかし、本実施形態のように断面コ字状の部材を傾斜フレーム材２１に使用した場合、図３の断面からわかるように、傾斜フレーム材２１が傾斜状態であることにより、幅方向両端が斜め上方を向いている。このため、図４に示した傾斜していない場合との比較からわかるように、傾斜フレーム材２１の幅方向両端２１ａがファンからの風Ｗの風路抵抗となり難い。
また、傾斜フレーム材２１が断面視コ字状であるから、軽量かつ高い剛性を得ることができる。
また、上記実施形態においては、上方のフレーム材を傾斜させて傾斜フレーム材２１としたが、図５のように下方の水平フレーム材１２も同様に傾斜させてもよいし、上方のフレーム材は水平とし、下方の水平フレーム材１２のみを傾斜させてもよい。
【００１４】
なお、上記においては固定部材としてのエバポレータ吊り部材１５ｂが略水平の姿勢で傾斜フレーム材２１の横フレーム材２１ａを支持している。しかし、これに限定されず、支持フレーム材２１ｂと異なる角度であればよい。
【００１５】
【発明の効果】
以上説明したように、本発明においては以下の効果を得ることができる。
請求項１に記載の発明によれば、コンデンサを支持するフレームの上下二本の横フレーム材の少なくとも一方が、荷物室に向かう斜めの支持フレーム材と一体となって連続する形状の全体がコ字状に折曲された傾斜フレーム材により構成され、横フレーム材が傾斜フレーム材を構成する両側部の斜めの支持フレーム材と、横フレーム材を荷物室に固定する略水平姿勢の固定部材との両方で支持されているため、従来とほぼ同じ部品構成のまま横フレーム材を傾斜フレーム材とするだけで高い強度を得ることができ、剛性を上げずともより重い重量を支持することができる。したがって低重量とすることができるとともにコストも抑えることができる。
請求項２に記載の発明によれば、前方からコンデンサを通った風が、コンデンサの背後で、かつ、フレームの前方で上方に抜ける際に、横フレーム材は傾斜フレーム材とされ、傾斜フレーム材が傾斜状態であることにより、その幅方向両端部が外側でかつ斜め上方を向いているため、該幅方向両端部が風路抵抗とならない。また、横フレーム材および支持フレーム材が断面視コ字状であるから、軽量かつ高い剛性を得ることができる。
【図面の簡単な説明】
【図１】  本発明の一実施形態として示した輸送用冷凍装置に用いられるフレームの斜視図である。
【図２】  フレーム材の形状を示した図である。
【図３】  同フレーム使用状態における部分縦断面図である。
【図４】  フレーム材が傾斜している場合と傾斜していない場合とで風Ｗの風路を比較した図である。
【図５】  本実施形態の変形例として示した図である。
【図６】  従来の輸送用冷凍装置の使用状態を示した縦断面図である。
【図７】  従来の輸送用冷凍装置に用いられるフレームの斜視図である。
【符号の説明】
１５ａ  エバポレータ吊り部材（固定部材）
２０  フレーム
２１  傾斜フレーム
２１ａ  横フレーム材
２１ｂ  支持フレーム材
【図１】
0003999531.tif 000002
【図２】
0003999531.tif 000003
【図３】
0003999531.tif 000004
【図４】
0003999531.tif 000005
【図５】
0003999531.tif 000006
【図６】
0003999531.tif 000007
【図７】
0003999531.tif 000008